(57)【特許請求の範囲】
【請求項１】
藻類の中間育成を行い、海底に沈設されるアンカー部材に着脱可能に取り付けて該アンカー部材と共に藻場増殖礁を形成するための育成部材の取り扱い方法であって、
海中において藻類の中間育成を行うに際して、前記育成部材の表面又は裏面若しくは表裏両面に、海面に浮かべた筏や延縄等の浮遊物に一部を取り付けて海中に垂下させた一本又は二本以上のロープまたはチェーン等の吊り下げ部材を添接させた状態で、該吊り下げ部材に取り付けた育成部材を海中に保持するようにし、
前記育成部材が、平面的な裏面を有するものであって、一対の育成部材の裏面同士を向き合わせた状態にしてそれら育成部材の表面にそれぞれ前記吊り下げ部材を添接させることによって、少なくとも二つの育成部材を同時に吊り下げ得るようにしているものであり、
裏面同士を合わせた一対の育成部材に対して、各表面にそれぞれ吊り下げ部材を沿わせ、これら育成部材の上端部側及び下端部側において吊り下げ部材同士を結束バンドによって拘束するようにしていることを特徴とする育成部材の取り扱い方法。
【請求項２】
藻類の中間育成を行い、海底に沈設されるアンカー部材に着脱可能に取り付けて該アンカー部材と共に藻場増殖礁を形成するための育成部材の取り扱い方法であって、
海中において藻類の中間育成を行うに際して、前記育成部材の表面又は裏面若しくは表裏両面に、海面に浮かべた筏や延縄等の浮遊物に一部を取り付けて海中に垂下させた一本又は二本以上のロープまたはチェーン等の吊り下げ部材を添接させた状態で、該吊り下げ部材に取り付けた育成部材を海中に保持するようにし、
前記育成部材が、厚み方向に貫通する貫通孔を上端部と下端部にそれぞれ具備するものであって、
前記育成部材が、平面的な裏面を有するものであって、一対の育成部材の裏面同士を向き合わせた状態にしてそれら育成部材の表面にそれぞれ前記吊り下げ部材を添接させることによって、少なくとも二つの育成部材を同時に吊り下げ得るようにしているものであり、
吊り下げた際に上側となる育成部材の下端部の貫通孔と下側となる育成部材の上端部の貫通孔とを、前記吊り下げ部材によって繋ぐことで、複数の育成部材を上下に吊り下げることを特徴とする育成部材の取り扱い方法。
【発明の詳細な説明】
【０００１】
【発明の属する技術分野】
本発明は、藻場を形成する藻類を育成するために使用される育成部材の好適な取り扱い方法に関するものである。
【０００２】
【従来の技術】
従来より、海藻類が増殖するための藻場増殖場としては、天然の岩場、テトラポットやコンクリートプレート、或いは、これらコンクリート製品を重積したりその間に自然石を配設したもの等が利用されてきた。ところで近時、海域において、水温や水質の変化、或いは食害動物等、様々な原因によって藻類が死滅し藻場が消失してしまういわゆる磯焼け現象が問題となっている。このような問題に対して、前述のような従来の藻場増殖礁では、投入されたブロック等に藻類が付着するのに時間がかかる上に、藻類が付着するかどうかも定かではなく、上述のように磯焼けが拡大して年々減りつつある現状にあっては藻場を回復するための実質的な対応策となってはいない。
【０００３】
そこで、磯焼けなどにより消失した藻場をより効率よく回復し、あるいは従前は藻場が存在しなかった箇所に新たに藻場を造成して優良な漁場を創出する方策として、主として藻類の育成機能と海底に沈めるためのアンカー機能とを分けて考慮し、育成部材とアンカー部材とを着脱可能に取り付けられるようにした、いわゆる着脱式藻場増殖礁が考えられている。
【０００４】
【発明が解決しようとする課題】
このような着脱式藻場増殖礁は、育成部材を用いて藻類を予め中間育成した後、ある程度生育した藻類が根付いた育成部材をアンカー部材に取り付けるようにしたものであるが、これまで採用されてきた中間育成方法は、陸上に設置された巨大な水槽に前記育成部材を藻類の胞子と共に入れ、その水槽内で藻類の育成を行うというものであった。
【０００５】
しかしながら、陸上で藻類の中間育成を行う方法には、藻類を陸上で初期及び中間育成する場合には、広大な敷地に大型で深い水槽を設置して藻類を育成し、その水槽の水を清浄に保つために水の循環や取り替え等の作業を必要とするため、多大な費用が必要となるという問題が生じている。
【０００６】
このような問題に対応して、近頃、実海域で藻類の中間育成を行うことが有効であることが分かりつつある。すなわち、実海域での中間育成方法には、自然な環境で藻類を育成することができるのみならず、藻類に十分な日照量を受けさせて幼芽の成長を促進し、低コストで確実に藻類を生育させることができるというメリットが得られる。
【０００７】
そこで本発明は、海中において極めて効率的に藻類の中間育成を行うことができるようにした育成部材の取り扱い方法を提供することを主たる目的とするものである。
【０００８】
【課題を解決するための手段】
すなわち、本発明は、藻類の中間育成を行い、海底に沈設されるアンカー部材に着脱可能に取り付けて該アンカー部材と共に藻場増殖礁を形成するための育成部材の取り扱い方法であって、海中において藻類の中間育成を行うに際して、前記育成部材の表面又は裏面若しくは表裏両面に、海面に浮かべた筏や延縄等の浮遊物に一部を取り付けて海中に垂下させた一本又は二本以上のロープ等の吊り下げ部材を添接させた状態で、該吊り下げ部材に取り付けた育成部材を海中に保持するようにし、前記育成部材が、平面的な裏面を有するものであって、一対の育成部材の裏面同士を向き合わせた状態にしてそれら育成部材の表面にそれぞれ前記吊り下げ部材を添接させることによって、少なくとも二つの育成部材を同時に吊り下げ得るようにしているものであり、裏面同士を合わせた一対の育成部材に対して、各表面にそれぞれ吊り下げ部材を沿わせ、これら育成部材の上端部側及び下端部側において吊り下げ部材同士を結束バンドによって拘束するようにしていることを特徴としている。
【０００９】
このような方法であれば、育成部材に対するロープ等の吊り下げ部材の接触状態を良好にして、吊り下げ部材あるいは育成部材が潮流を受けて揺れ動いても育成部材を海中にしっかりと保持しておくことができる上に、吊り下げ部材には数多くの育成部材を同時に保持させることができ、また育成部材の吊り下げ深度を海水温に対応して変更することも容易であるため、極めて効率のよい藻類の中間育成を行うことができるようになる。吊り下げ部材としてロープを使用する場合は、その本数は何本でも構わない。
【００１０】
また、極めて簡便な方法により育成部材をよりしっかりと海中に保持した状態に吊り下げておくことができるようにするために本発明は、藻類の中間育成を行い、海底に沈設されるアンカー部材に着脱可能に取り付けて該アンカー部材と共に藻場増殖礁を形成するための育成部材の取り扱い方法であって、海中において藻類の中間育成を行うに際して、前記育成部材の表面又は裏面若しくは表裏両面に、海面に浮かべた筏や延縄等の浮遊物に一部を取り付けて海中に垂下させた一本又は二本以上のロープまたはチェーン等の吊り下げ部材を添接させた状態で、該吊り下げ部材に取り付けた育成部材を海中に保持するようにし、前記育成部材が、厚み方向に貫通する貫通孔を上端部と下端部にそれぞれ具備するものであって、前記育成部材が、平面的な裏面を有するものであって、一対の育成部材の裏面同士を向き合わせた状態にしてそれら育成部材の表面にそれぞれ前記吊り下げ部材を添接させることによって、少なくとも二つの育成部材を同時に吊り下げ得るようにしているものであり、吊り下げた際に上側となる育成部材の下端部の貫通孔と下側となる育成部材の上端部の貫通孔とを、前記吊り下げ部材によって繋ぐことで、複数の育成部材を上下に吊り下げることを特徴とする。
【００１１】
特に、前記育成部材が、厚み方向に貫通する貫通孔を具備するものである場合には、その貫通孔に挿通した結束具によって育成部材を保持する吊り下げ部材を拘束するようにすれば、育成部材の脱落防止を更に確実なものとすることができる。このように育成部材に貫通孔が形成されている場合、貫通孔にロープを通して該育成部材を吊り下げる方法も考えられるが、そうすると貫通孔でロープが擦れて切れてしまう恐れが生じる。このような方法に対して本発明のように、育成部材の表面や裏面にロープ等を添接させることで、ロープが切断して育成部材を流失するという不具合を有効に回避することができるようになる。
【００１２】
また、多数の育成部材の吊り下げを可能とするためには、前記育成部材を、平面的な裏面を有するものとして、一対の育成部材の裏面同士を向き合わせた状態にしてそれら育成部材の表面にそれぞれ前記吊り下げ部材を添接させることによって、少なくとも二つの育成部材を同時に吊り下げ得るようにすることが有効である。また、一対の育成部材を裏合わせにすることなく、一つの育成部材を海中に吊り下げている場合には、その裏面にフジツボ等の付着物が付着しやすいので、育成部材に藻類が活着した後その育成部材を海底のアンカー部材に取り付けようとすると裏面に付着したフジツボ等を剥がし落とさないと育成部材のアンカー部材に対する良好な取り付け状態が得られないが、このように育成部材同士を裏合わせにして海中に吊り下げることで、裏合わせにした育成部材同士を引き離すとフジツボ等が付いていない平面的なままの裏面が表出することになり、育成部材をアンカー部材等に取り付ける際に、フジツボ等を裏面から除去する手間を省くことができ、海底での藻場増殖礁の形成を容易且つ迅速に行うことができるようになる。
【００１３】
【発明の実施の形態】
以下、本発明の参考例並びに実施形態を、図面を参照して説明する。
【００１４】
この参考例における育成部材１は、海底Ｐに沈設されるアンカー部材２と共に着脱式藻場増殖礁Ｂを構成するものである。図２に示す着脱式藻場増殖礁Ｂは、海藻類の一種であるアラメＣを生育、増殖させて、主にそれを餌として食べるために集まるアワビを漁獲するために使用されるものである。この藻場増殖礁は、主としてアラメＣを育成するための機能を有する上述した育成部材１と、この育成部材１を海底Ｐに保持する重しとしてのアンカー機能を有するアンカー部材２とから構成されている。海藻類としては、アラメの他にも、カジメやクロメ等の多年生の褐藻類を適用することもできる。
【００１５】
図１及び図２に示す育成部材１は、一辺が２０ｃｍ程度の平面視略正方形状をなし５ｃｍ程度の厚みを有する板状のコンクリート製の一体成型品であり、その重量は約２．５Ｋｇである。しかして、表面１１の略中央部に厚み方向に貫通する貫通孔１５を形成するとともに、その表面１１に凹凸部１４を形成している。この凹凸部１４は、砂利や石の形状を模したもので、前記表面１１側を向く下向きの面（いわゆる逆勾配）を有している。さらに、この育成部材１をロープ８を添接させて取り付けた状態で海中Ｒに吊すことができるようにするために、表面１１の対向する辺同士に亘って前記貫通孔１５の開口部分を通過するように略十文字状をなす添接路１６を形成している。そして、この添接路１６が前記凹凸部１４を避けて形成されるようにするために、凹凸部１４を表面１１の中央部よりも４隅寄りに形成している。また、この育成部材１の裏面１２は平坦に形成してある。このように、育成部材１に凹凸部１４とその凹凸部１４を避けて形成した添接路１６とを形成し、さらに添接路１６上に貫通孔１５を位置付けて、添接路１６にロープ８を沿わせるようにしているのは、この育成部材１に着生し成育したアラメＣが根を凹凸部１４に張って安定的に活着できるようにするとともに、この凹凸部１４を海底Ｐにおいて食害動物の障害物として利用して食害防止を図ることが主目的の一つである。さらに、ロープ８を生育したアラメＣが活着した凹凸部１４を避けて添接路１４に添接させるようにすることで、ロープ８を育成部材１に安定的に取り付けることができるだけでなく、ロープ８が潮流で揺れてアラメＣを傷つけたりロープ８を取り外す際に凹凸部１４に活着したアラメＣの損傷を有効に防止することもできる。また、育成部材の略中央部に貫通孔１５を形成しており、添接路１６をその中央部を通過するように略十文字をなすように形成しているため、ロープ８を育成部材１の上下左右を問わずに取り扱うことができ、育成部材１に確実に添接させて多数の育成部材１を上下方向に並べて安定的に吊り下げることができる。
【００１６】
一方、アンカー部材２は、一辺が２．２ｍ程度の略正方形の平面視形状を有し、高さ約１ｍのコンクリート製ブロックからなる重量約９ｔのアンカーとしての機能を具備するものである。また、このアンカー部材２は、海産物の廃棄物を有効利用するために、そのコンクリート組成中にカキ殻等の海産物の廃棄物（貝殻等のそのままの形状のものや、その破砕物・粉砕物等、形状は問わない）を含有するものである。本参考例では、アンカー部材２に主としてアンカーの役割を担わせたものであるが、海底Ｐで継続的に藻場Ａを形成するために、経年変化にある程度耐え得るだけの強度を付与するべく、コンクリート組成中の前記カキ殻を基本組成であるセメント材料に対して所定割合で混在させている。なお、このようなものを含有しない一般のコンクリートブロックを用いることもできる。そして、その表面に、育成部材１の貫通孔１５に挿通し得る金属製の突起２１を複数突出させている。また、同じく表面の略中央部には、このアンカー部材２を沈設又は引き上げる際に利用されるフック２２を取り付けている。
【００１７】
次に、前記育成部材１を使用したアラメＣの中間育成方法及びも場造成方法について図３及び図４に示す模式図に従って説明する。
【００１８】
まず、アラメＣを育成すべき育成ゾーンＸをアラメＣが自生している海域又はその近傍に設定し、図３（ａ）に示すようにその位置に海面Ｒに浮かべた筏７から吊り下げ部材たるロープ８を介して育成部材１を水深約５ｍ以内の海中Ｑに吊り下げる。その際、一対の育成部材１を相互に平坦な裏面１２同士を合わせた状態で厚み方向が水深方向と略直交するように縦向きの姿勢にし、ロープ８をそれぞれ前記添接路１６に添接させている。更に詳細に説明すると、図５及び図６に拡大して示すように、このロープ８は多数の細い糸を束ねて撚り合わせることによって形成した太い２本のロープ要素８１、８２を更に互いに撚り合わせて直径１〜２ｃｍの太さにした、いわゆる漁業用ロープである。このロープ８を用いて育成部材１を吊り下げるには、ロープ要素８１、８２同士の撚り合せを部分的に解いておき、一対の育成部材１を相互に裏面１２同士を合わせた状態で長手方向を水深方向と略直交させた姿勢にして、先に解いておいたロープ要素８１、８２同士の間に挟み込み、それらロープ要素８１、８２をそれぞれ育成部材１の添接路１６に添接させる。すると、解かれたロープ要素８１、８２同士は元の捻られた状態に戻ろうとするため、その力によってロープ要素８１、８２間に育成部材１を強く挟み込むことになる。その上で更に育成部材１の脱落防止を図るために、育成部材１の貫通孔１５に、上述したものと同様の結束具たる結束バンド１７を挿通し、この結束バンド１７によって両ロープ要素８１、８２を拘束する。この結束バンド１７は、一端に孔部１７ａを有し、他端１７ｂをその孔部１７ａに挿入、係合することにより他の部材を拘束できるようにした樹脂製の市販のものである。このようにして一本のロープ８に高さを違えて複数の育成部材１を取り付けて、ロープ８の下端部においてはロープ要素８１、８２同士を固く結んで瘤８３を作っている。このようにして、一本のロープ８に複数の育成部材１を取り付けたものを多数用意しておき、例えば合計２０００個程度の育成部材１を筏７から吊り下げるようにすると、同時に多数の育成部材１を用いてアラメＣの中間育成を極めて効率的に行うことができる。なお、育成部材１をロープ８に保持させるには、育成部材１を略水平な姿勢にして貫通孔１５にロープ８を通すとともに、ロープ８の一部を結んで作った瘤によって育成部材１を下方から受けるようにすることも考えられるが、このようにすると海中Ｑにおける育成部材１の安定性が悪い上に、貫通孔１５の縁部でロープ８が擦れて切れてしまう恐れが生じる。さらに、貫通孔１５に太いロープ８を摩擦による切断を防止して通すには、貫通孔１５の直径をロープ８の太さ以上に大きくする必要が生じるが、育成部材１を海底Ｐに移設してアンカー部材２に固定する場合、前記貫通孔１５に挿通するための突起２１もそれだけ太いものを用意しなければならない。すなわち、コスト的な面においてもこのような吊り下げ方は不利であるので、貫通孔１５の大きさは前記結束バンド１７を通すことができ、突起２１を挿通できる大きさとすれば十分である。このような観点からも、本参考例における育成部材の吊り下げ方は好ましい方法である。
【００１９】
そして、育成部材１を海中Ｑに吊してから一定期間経過した後この育成部材１を引き上げ、アラメＣの活着及び成育を確認してから、育成部材１を造成ゾーンＹへと移設する。その際の、アラメＣの成育度合は、成育したアラメＣが潮流から受ける抵抗力に抗し切れずに育成部材１から抜けてしまわない程度の大きさ、例えば１０〜６０ｃｍ程度を目安にする。また、十分に成育していないアラメＣは柔らかいうえに、ウニ等の食害動物が嫌う独特の渋味成分であるフロロタンニン等を分泌できないため、海底Ｐに移設すれば簡単に食害を受けてしまうが、上述の大きさまで成育すれば自己防衛機能を発揮することができるため、そのような恐れを回避することができる。さらに、アラメＣは、海底Ｐよりも強い日照量を受けることができ、生育が早く、中間育成としての育成日数を短縮できるメリットがある。なお、アラメＣの活着が認められない場合には、図示しないが予めアラメＣの胞子を付着させて海中Ｑで数ｃｍ程度の大きさの幼芽となるまで初期育成を終えた種糸（いわゆるクレモナ糸）を育成部材１に巻き付けておき、育成ゾーンＸにおいてアラメＣを成育させてから造成ゾーンＹへの移設を行ってもよいし、当初から幼芽にまで成育したアラメＣを活着させたクレモナ糸を育成部材１に巻き付けておいた状態でアラメＣの育成を行ってもよい。
【００２０】
しかして、図３（ｂ）に示すように造成ゾーンＹにおいては、アラメＣを活着させた育成部材１を、貫通孔１５にアンカー部材２の突起２１を挿入することにより取り付けて藻場増殖礁Ｂを構成する。藻場を広く造成する場合には、多数の藻場増殖礁Ｂを配置すればよい。このようにして、図４（ａ）に示すアラメＣの海中林が完成する。そして、藻場を造成した後、同図（ｂ）に示すように、磯焼け等の原因で一部又は全部のアラメＣが死滅した場合、あるいは育成部材１に集まったアワビを漁獲する場合には、同図（ｃ）に示すように、その育成部材１のみをアンカー部材２から取り外し、図３に示すように育成ゾーンＸにおいてアラメＣが成育した新たな育成部材１を移設してきて交換する。また、取り外した育成部材１にはメンテナンスを施して、再度育成ゾーンＸにてアラメＣを育成するために利用する。このようにすることで、藻場全体のメンテナンスを行うことができることとなる。
【００２１】
以上のようにして育成部材１を取り扱うようにすれば、育成部材１の表面１１に海面Ｒに浮かべた筏７に取り付けたロープ８を良好に接触させて海中Ｑに吊り下げるようにしているため、ロープ８や育成部材１が潮流で揺れ動いても育成部材１をしっかりと保持しておくことができるだけでなく、多数の育成部材１をロープ８に同時に保持させて効率よく中間育成を行うことができ、またロープ８をさらに下ろしたり引き揚げたりすることで海水温に対応して育成部材１の吊り下げ深度を変更することも容易である。さらに、本参考例では、上記のような育成部材１を海中Ｑに吊り下げ実海域でアラメＣを中間育成するようにしているため、陸上で初期及び中間育成する場合に必要な土地や水槽等の設備或いはその水槽の水の循環作業や設備等が一切不要となるので、安価なアラメＣの育成が可能である。また、筏７から吊り下げる深さを水温や日光量に応じて変更したり、潮流によって常に清浄な海水を与えることで、アラメＣを自然な環境で順調に育成することが可能である。
【００２２】
また、育成部材１には厚み方向に貫通孔１５を設けており、この貫通孔１５に通した結束バンド１７によってロープ８を拘束した状態で育成部材１を海中Ｑに吊り下げるようにしている。このため、吊り下げられた育成部材１の安定性を容易且つ確実に向上することができる。なお、本参考例では、ロープ８に対する取付用の貫通孔１５を、アンカー部材２に対する取付用に共用するようにしているので、アンカー部材２への取付部材が別途必要とならず、育成部材１の構造を簡素化し、製造コストを低減することができる。
【００２３】
さらに、育成部材１の裏面１２を平らに形成しているので、一対の育成部材１を裏面１２同士を向き合わせて吊り下げることによって、さらに多くの育成部材１を吊り下げることができるだけでなく、アラメＣの中間育成中に、育成部材１の裏面１２にフジツボやムラサキガイ等の不要な付着物が付着することを防止できるため、育成部材１を海底Ｐに移設する際にフジツボ等を除去する手間を省くことができるとともに、アンカー部材２への取付具合を良好に維持することができる。
【００２４】
ここで、本発明の実施形態に係る育成部材の取り扱い方法は上記参考例ではなく、以下のようなものである。
【００２５】
すなわち、図１に示した育成部材１と同様の構成のものを、確実に筏７から吊り下げるようにするには、例えば図７に示すような一対のロープ１８０を利用して、次に説明するような方法を採用すればよい。同図に示す育成部材１の吊り下げ方法では、前記参考例と同様に裏面１２同士を合わせた一対の育成部材１に対して、各表面１１の添接路１６にそれぞれロープ１８０を沿わせ、これら育成部材１の上端部側及び下端部側においてロープ１８０同士を前記と同様の結束バンド１７によって拘束するようにしている。このようにすれば、ロープ１８０や結束バンドの数は前記参考例の倍だけ必要になるが、ロープ８を構成しているロープ要素８１、８２同士の捻りを部分的に解く手間を省くことができる。また、この場合、育成部材１の貫通孔１５は主としてアンカー部材２への取り付けのために利用されることになる。尤も、この貫通孔１５にも結束バンド１７を挿入してロープ１８０同士を拘束することもできる。
【００２６】
また、上述のような育成部材１の吊り下げ方法の他にも、例えば図８に示すような方法を採用することもできる。同図に示す育成部材１１０は、前記参考例と同様に表面１１１に凹凸部１１４を有しており、吊り下げた状態で上端部１１０ａ及び下端部１１０ｂとなる部位よりも中央部寄りに一対の貫通孔１１５を設け、それら貫通孔１１５と上端部１１０ａ及び下端部１１０ｂとの間に添接路１１６をそれぞれ形成したものである。このようなものであれば、吊り下げた際に上側となる育成部材１１０の下端部１１０ｂの貫通孔１１５と下側となる育成部材１１０の上端部１１０ａの貫通孔１１５とを、例えば金属製チェーン２８０等からなる吊り下げ部材によって繋ぐことで、多数の育成部材１１０を上下に吊り下げることができる。また、その際、チェーン２８０は前記添接路１１６に添接して取り付けられるので、凹凸部１１４と干渉することはない。前記チェーン２８０の代わりにロープ等の紐状の部材を用いて育成部材１１０を吊り下げるようにしてもよいのは勿論である。
【００２８】
その他、前記参考例において、育成部材１をロープ８を用いて海中に吊り下げる際に、ロープ要素８１、８２同士の撚りを解いた箇所には二つの育成部材１を同時に挟み込むのではなく、一つだけの育成部材１を挟み込むようにしても構わない。このようにすると育成部材１の裏面１２にフジツボや貝等の付着物が付いてしまい、アラメＣが生育した後で育成部材１をアンカー部材２に取り付けるためには、付着したフジツボ等を取り除く作業が必要となるので、このような手間を防止するためには、裏面１２にプレートや枠状物、ラップフィルム（食品ラップフィルム）等の着脱容易なものを取付けておいて、育成部材の裏面にフジツボ等が付着しにくいようにすればよい。
【００２９】
また、育成部材の貫通孔をネジ孔とするとともにアンカー部材の突起を金属製或いは樹脂製のボルトとして、それらの螺合関係によって育成部材をアンカー部材に取り付けられるようにすることができるなど、各部の具体的構成や具体的な方法は、上記実施形態に限られるものではなく、本発明の趣旨を逸脱しない範囲で種々変更が可能である。
【００３０】
【発明の効果】
本発明は、以上説明したような形態で実施され、以下に記載されるような効果を奏する。
【００３１】
すなわち、本発明の育成部材の取り扱い方法は、育成部材の表面に添接させた吊り下げ部材を海面に浮かべた浮遊物に取り付け、育成部材を海中に吊り下げて藻類の中間育成を行うようにしているので、広大な土地や設備が必要な陸上で藻類の育成を行うよりも有利な条件、すなわち藻類に常に新鮮な海水と十分な日照量を常に与えられる自然な環境下で藻類の中間育成を行うことができ、その際に、育成部材の吊り下げ状態の安定性を向上し多数の育成部材を同時に吊り下げられることができる。したがって、低コストで取り扱いの簡便な藻類の中間育成を極めて効率的に実施することができる。
【００３３】
また、前記育成部材に厚み方向に貫通する貫通孔を形成している場合、その貫通孔に挿通した結束具によって育成部材を保持している吊り下げ部材を拘束するようにすれば、またその育成部材の脱落防止を更に確実なものとすることができ、吊り下げ部材は育成部材に添接されているため擦れて取り下げ部材が貫通孔で擦れて切れてしまうこともない。
【００３４】
さらに、育成部材の裏面を平面的にして、一対の育成部材の裏合わせにしてそれら育成部材の表面にそれぞれ前記吊り下げ部材を添接させるようにすれば、より多数の育成部材の吊り下げが可能となり、中間育成の効率を有効に向上することができる。さらには、裏合わせにした育成部材同士を引き離すと、育成部材の裏面はフジツボ等の付着物が付いておらず、表面には中間育成された藻類が活着しているため、その後このような状態の育成部材を海底に沈設されるアンカー部材等に取り付ける際に、フジツボ等を裏面から除去する手間が省け、海底での藻場増殖礁の形成を容易且つ迅速に行うことが可能である。
【図面の簡単な説明】
【図１】  本発明の参考例において使用される育成部材を示す斜視図。
【図２】  同参考例に適用される着脱式藻場増殖礁を示す斜視図。
【図３】  同参考例を適用したアラメの育成方法を示す模式図。
【図４】  同模式図。
【図５】  図３における一部を拡大して育成部材の取り扱い方法を説明する斜視図。
【図６】  同側面図。
【図７】  本発明の実施形態における育成部材の取り扱い方法を示す側面図。
【図８】  本発明におけるさらに他の実施形態に係る育成部材の取り扱い方法を示す側面図。
【図１】
0004626921.tif 000002
【図２】
0004626921.tif 000003
【図３】
0004626921.tif 000004
【図４】
0004626921.tif 000005
【図５】
0004626921.tif 000006
【図６】
0004626921.tif 000007
【図７】
0004626921.tif 000008
【図８】
0004626921.tif 000009